(57)【特許請求の範囲】
【請求項１】
自律分散制御対応ネットワークと、自律分散制御非対応ネットワークとが混在しており、前記自律分散制御対応ネットワーク及び前記自律分散制御非対応ネットワークに所定のパスを設定可能なネットワーク管理装置を有するネットワークシステムであって、
前記ネットワーク管理装置は、
前記自律分散制御非対応ネットワーク上の自律分散制御非対応装置に対して、自律分散制御非対応パスを設定するように要求する自律分散制御非対応パス設定要求手段と、
前記自律分散制御非対応ネットワークに設定した前記自律分散制御非対応パスを仮想リンクとして管理し、前記仮想リンクを示す仮想リンク情報を保持する仮想リンク情報管理手段と、
前記自律分散制御対応ネットワーク上の自律分散制御対応装置に対して、前記仮想リンク情報を送信するとともに、前記自律分散制御非対応パスを前記仮想リンクとして登録するように要求する仮想リンク登録要求手段と、
を有することを特徴とするネットワークシステム。
【請求項２】
前記ネットワーク管理装置は、
前記仮想リンク登録要求手段から要求を受けた自律分散制御対応装置が属する前記自律分散制御対応ネットワーク上の自律分散制御対応装置のうち、前記仮想リンクを含む自律分散制御対応パスの始点となる自律分散制御対応装置に対して、前記自律分散制御対応パスを設定するように要求する自律分散制御対応パス設定要求手段を有し、
前記自律分散制御対応装置は、
前記仮想リンク登録要求手段から要求を受けた場合に、前記仮想リンク情報に基づいて、前記自律分散制御非対応パスを前記仮想リンクとして登録する仮想リンク登録手段と、
前記自律分散制御対応パス設定要求手段から要求を受けた場合に、前記仮想リンクを含む自律分散制御対応パスを設定する自律分散制御対応パス設定手段と、
を有することを特徴とする請求項１記載のネットワークシステム。
【請求項３】
前記仮想リンク情報管理手段は、
前記仮想リンク情報として、
前記仮想リンクを識別するための仮想リンク識別情報と、
前記仮想リンクとして管理する前記自律分散制御非対応パスの始点に関する始点情報と、
前記仮想リンクとして管理する前記自律分散制御非対応パスの終点に関する終点情報と、
をそれぞれ対応付けて保持することを特徴とする請求項２記載のネットワークシステム。
【請求項４】
前記始点情報は、
前記始点のリンクを示す始点リンク情報、及び、前記始点で利用されるリソースを示す始点ラベル情報であり、
前記終点情報は、
前記終点のリンクを示す終点リンク情報、及び、前記終点で利用されるリソースを示す終点ラベル情報であることを特徴とする請求項３記載のネットワークシステム。
【請求項５】
前記仮想リンク登録手段は、
前記仮想リンク登録要求手段からの要求を受けた場合、受信した前記仮想リンク情報を記憶するとともに、前記仮想リンクに関する情報として、対向の自律分散制御対応装置、合計帯域幅、残帯域幅を記憶することにより、前記仮想リンクの登録を行うことを特徴とする請求項２から４のいずれか１項に記載のネットワークシステム。
【請求項６】
前記仮想リンク登録手段で登録された前記仮想リンクは、物理的に接続されたリンクと同様に、前記自律分散制御ネットワーク内で広告され、前記自律分散制御対応パス設定手段の経路計算に用いられることを特徴とする請求項２から５のいずれか１項に記載のネットワークシステム。
【請求項７】
前記自律分散制御対応パス設定手段は、
前記自律分散制御対応パス設定要求手段から要求を受けた場合、該要求に含まれている、前記自律分散制御対応パスの終点となる自律分散制御対応装置を示す情報、及び、前記自律分散制御対応パスの帯域幅を示す情報に基づいて、経路計算及びシグナリングを行うことにより、前記自律分散制御対応パスを設定することを特徴とする請求項２から６のいずれか１項に記載のネットワークシステム。
【請求項８】
請求項１から７のいずれか１項に記載のネットワークシステムにおいて用いられることを特徴とするネットワーク管理装置。
【請求項９】
請求項１から７のいずれか１項に記載のネットワークシステムにおいて、自律分散制御対応装置又は自律分散制御非対応装置として用いられることを特徴とする通信装置。
【請求項１０】
自律分散制御対応ネットワークと、自律分散制御非対応ネットワークとが混在してネットワークシステムで用いられ、前記自律分散制御対応ネットワーク及び前記自律分散制御非対応ネットワークに所定のパスを設定するためのパス設定方法であって、
前記自律分散制御非対応ネットワーク上の自律分散制御非対応装置に対して、自律分散制御非対応パスを設定するように要求する自律分散制御非対応パス設定要求ステップと、
前記自律分散制御非対応ネットワークに設定された前記自律分散制御非対応パスを仮想リンクとして管理し、前記仮想リンクを示す仮想リンク情報を保持する仮想リンク情報管理ステップと、
前記自律分散制御対応ネットワーク上の自律分散制御対応装置に対して、前記仮想リンク情報を送信するとともに、前記自律分散制御非対応パスを前記仮想リンクとして登録するように要求する仮想リンク登録要求ステップと、
を含むことを特徴とするパス設定方法。
【請求項１１】
前記仮想リンク登録要求ステップによる要求を受けた自律分散制御対応装置に対して、前記仮想リンク情報に基づいて、前記自律分散制御非対応パスを前記仮想リンクとして登録する仮想リンク登録ステップと、
前記仮想リンク登録要求ステップによる要求を受けた自律分散制御対応装置が属する前記自律分散制御対応ネットワーク上の自律分散制御対応装置のうち、前記仮想リンクを含む自律分散制御対応パスの始点となる自律分散制御対応装置に対して、前記自律分散制御対応パスを設定するように要求する自律分散制御対応パス設定要求ステップと、
前記自律分散制御対応パス設定要求ステップによる要求を受けた自律分散制御対応装置に対して、前記仮想リンクを含む自律分散制御対応パスを設定する自律分散制御対応パス設定ステップと、
を有することを特徴とする請求項１０記載のパス設定方法。
【請求項１２】
前記仮想リンク情報管理ステップでは、
前記仮想リンク情報として、
前記仮想リンクを識別するための仮想リンク識別情報と、
前記仮想リンクとして管理する前記自律分散制御非対応パスの始点に関する始点情報と、
前記仮想リンクとして管理する前記自律分散制御非対応パスの終点に関する終点情報と、
をそれぞれ対応付けて保持されることを特徴とする請求項１１記載のパス設定方法。
【請求項１３】
前記始点情報は、
前記始点のリンクを示す始点リンク情報、及び、前記始点で利用されるリソースを示す始点ラベル情報であり、
前記終点情報は、
前記終点のリンクを示す終点リンク情報、及び、前記終点で利用されるリソースを示す終点ラベル情報であることを特徴とする請求項１２記載のパス設定方法。
【請求項１４】
前記仮想リンク登録ステップでは、
前記仮想リンク登録要求ステップによる要求を受けた自律分散制御対応装置に対して、受信した前記仮想リンク情報を記憶させるとともに、前記仮想リンクに関する情報として、対向の自律分散制御対応装置、合計帯域幅、残帯域幅を記憶させることにより、前記仮想リンクの登録を行うことを特徴とする請求項１１から１３のいずれか１項に記載のパス設定方法。
【請求項１５】
前記仮想リンク登録ステップで登録された前記仮想リンクは、物理的に接続されたリンクと同様に、前記自律分散制御ネットワーク内で広告され、前記自律分散制御対応パス設定ステップによる経路計算に用いられることを特徴とする請求項１１から１４のいずれか１項に記載のパス設定方法。
【請求項１６】
前記自律分散制御対応パス設定ステップでは、
前記自律分散制御対応パス設定要求ステップによる要求を受けた自律分散制御対応装置に対して、該要求に含まれている、前記自律分散制御対応パスの終点となる自律分散制御対応装置を示す情報、及び、前記自律分散制御対応パスの帯域幅を示す情報に基づいて、経路計算及びシグナリングを行わせることにより、前記自律分散制御対応パスを設定することを特徴とする請求項１１から１５のいずれか１項に記載のパス設定方法。
【請求項１７】
自律分散制御対応ネットワークと、自律分散制御非対応ネットワークとが混在しているネットワークシステムで用いられ、前記自律分散制御対応ネットワーク及び前記自律分散制御非対応ネットワークに所定のパスを設定するためのプログラムであって、
前記自律分散制御非対応ネットワーク上の自律分散制御非対応装置に対して、自律分散制御非対応パスを設定するように要求する自律分散制御非対応パス設定要求処理と、
前記自律分散制御非対応ネットワークに設定された前記自律分散制御非対応パスを仮想リンクとして管理し、前記仮想リンクを示す仮想リンク情報を保持する仮想リンク情報管理処理と、
前記自律分散制御対応ネットワーク上の自律分散制御対応装置に対して、前記仮想リンク情報を送信するとともに、前記自律分散制御非対応パスを前記仮想リンクとして登録するように要求する仮想リンク登録要求処理と、
をコンピュータに実行させることを特徴とするプログラム。
【請求項１８】
前記仮想リンク登録要求処理による要求を受けた自律分散制御対応装置が属する前記自律分散制御対応ネットワーク上の自律分散制御対応装置のうち、前記仮想リンクを含む自律分散制御対応パスの始点となる自律分散制御対応装置に対して、前記自律分散制御対応パスを設定するように要求する自律分散制御対応パス設定要求処理と、
をコンピュータに実行させることを特徴とする請求項１７記載のプログラム。
【請求項１９】
前記仮想リンク登録要求処理による要求を受けた自律分散制御対応装置に対して、前記仮想リンク情報に基づいて、前記自律分散制御非対応パスを前記仮想リンクとして登録する仮想リンク登録処理と、
前記自律分散制御対応パス設定要求処理による要求を受けた自律分散制御対応装置に対して、前記仮想リンクを含む自律分散制御対応パスを設定する自律分散制御対応パス設定処理と、
をコンピュータに実行させることを特徴とする請求項１８記載のプログラム。
【請求項２０】
前記仮想リンク情報管理処理は、
前記仮想リンク情報として、
前記仮想リンクを識別するための仮想リンク識別情報と、
前記仮想リンクとして管理する前記自律分散制御非対応パスの始点に関する始点情報と、
前記仮想リンクとして管理する前記自律分散制御非対応パスの終点に関する終点情報と、
をそれぞれ対応付けて保持する処理であることを特徴とする請求項１８又は１９記載のプログラム。
【請求項２１】
前記始点情報は、
前記始点のリンクを示す始点リンク情報、及び、前記始点で利用されるリソースを示す始点ラベル情報であり、
前記終点情報は、
前記終点のリンクを示す終点リンク情報、及び、前記終点で利用されるリソースを示す終点ラベル情報であることを特徴とする請求項２０記載のプログラム。
【請求項２２】
前記仮想リンク登録処理は、
前記仮想リンク登録要求処理による要求を受けた自律分散制御対応装置に対して、受信した前記仮想リンク情報を記憶させるとともに、前記仮想リンクに関する情報として、対向の自律分散制御対応装置、合計帯域幅、残帯域幅を記憶させることにより、前記仮想リンクの登録を行う処理であることを特徴とする請求項１９記載のプログラム。
【請求項２３】
前記仮想リンク登録処理で登録された前記仮想リンクは、物理的に接続されたリンクと同様に、前記自律分散制御ネットワーク内で広告され、前記自律分散制御対応パス設定処理による経路計算に用いられることを特徴とする請求項１９から２２のいずれか１項に記載のプログラム。
【請求項２４】
前記自律分散制御対応パス設定処理は、
前記自律分散制御対応パス設定要求処理による要求を受けた自律分散制御対応装置に対して、該要求に含まれている、前記自律分散制御対応パスの終点となる自律分散制御対応装置を示す情報、及び、前記自律分散制御対応パスの帯域幅を示す情報に基づいて、経路計算及びシグナリングを行わせることにより、前記自律分散制御対応パスを設定する処理であることを特徴とする請求項１９から２３のいずれか１項に記載のプログラム。
【発明の詳細な説明】
【技術分野】
【０００１】
本発明は、自律分散制御に対応した通信装置及び自律分散制御に対応していない通信装置が混在した環境において、自律分散制御によるパス設定を行うことが可能な、ネットワークシステム、ネットワーク管理装置、通信装置、パス設定方法及びプログラムに関する。
【背景技術】
【０００２】
ＧＭＰＬＳ（General Multi-Protocol Label Switching）、ＡＳＯＮ（Automatically Switched Optical Network）等の自律分散制御によるパス設定・管理（図１７参照）は、従来のネットワークマネージメントシステム（Network Management System。以下、ＮＭＳという）からの集中制御によるパス設定（図１８参照）と比較すると、オペレーションコストの削減や、柔軟なパス経路選択及び障害回復手段の提供などについてメリットがある。
【０００３】
しかし、自律分散制御に対応した通信装置（以下、自律分散制御対応装置という）及び自律分散制御に対応していない通信装置（自律分散制御非対応装置）が混在したネットワーク（例えば特許文献１参照）においては、以下のような課題がある。
【０００４】
第１の課題は、現在運用中の大規模ネットワークを自律分散制御に対応させる場合、短期間に全ての通信装置を自律分散制御に対応させることが難しいため、自律分散制御に対応したネットワークへの移行がスムーズに実施でないことである。
【０００５】
第２の課題は、自律分散制御非対応装置が、自律分散制御のシグナリングメッセージを処理する機構や装置の持つリンクを広告する機構を持っていないため、自律分散制御対応装置及び自律分散制御非対応装置が混在したネットワークにおいて、自律分散制御非対応装置を中継する自律分散制御によるパス設定ができず、自律分散制御によるパス設定のメリットを享受することができないということである。
【特許文献１】特開２００６−３５２２９７号公報
【発明の開示】
【発明が解決しようとする課題】
【０００６】
本発明は、上記事情に鑑みてなされたものであり、自律分散制御対応装置及び自律分散制御非対応装置が混在したネットワークにおいて、自律分散制御非対応装置を中継した自律分散制御によるパス設定ができる、ネットワークシステム、ネットワーク管理装置、通信装置、パス設定方法及びプログラムを提供することを目的とする。
【課題を解決するための手段】
【０００７】
かかる目的を達成するために、本発明の第１のネットワークシステムは、自律分散制御対応ネットワークと、自律分散制御非対応ネットワークとが混在しており、自律分散制御対応ネットワーク及び自律分散制御非対応ネットワークに所定のパスを設定可能なネットワーク管理装置を有するネットワークシステムであって、ネットワーク管理装置は、自律分散制御非対応ネットワーク内に設定した自律分散制御非対応パスを示す情報に基づいて、自律分散制御非対応パスを自律分散制御対応パスの一部として設定する機能を有することを特徴とする。
【０００８】
本発明の第２のネットワークシステムは、本発明の第１のネットワークシステムにおいて、ネットワーク管理装置は、自律分散制御非対応ネットワーク上の自律分散制御非対応装置に対して、自律分散制御非対応パスを設定するように要求する自律分散制御非対応パス設定要求手段と、自律分散制御非対応ネットワークに設定された自律分散制御非対応パスを仮想リンクとして管理し、仮想リンクを示す仮想リンク情報を保持する仮想リンク情報管理手段と、自律分散制御対応ネットワーク上の自律分散制御対応装置に対して、仮想リンク情報を送信するとともに、自律分散制御非対応パスを仮想リンクとして登録するように要求する仮想リンク登録要求手段と、仮想リンク登録要求手段から要求を受けた自律分散制御対応装置が属する自律分散制御対応ネットワーク上の自律分散制御対応装置のうち、仮想リンクを含む自律分散制御対応パスの始点となる自律分散制御対応装置に対して、自律分散制御対応パスを設定するように要求する自律分散制御対応パス設定要求手段と、を有し、自律分散制御対応装置は、仮想リンク登録要求手段から要求を受けた場合に、仮想リンク情報に基づいて、自律分散制御非対応パスを仮想リンクとして登録する仮想リンク登録手段と、自律分散制御対応パス設定要求手段から要求を受けた場合に、仮想リンクを含む自律分散制御対応パスを設定する自律分散制御対応パス設定手段と、を有することを特徴とする。
【０００９】
本発明の第３のネットワークシステムは、本発明の第２のネットワークシステムにおいて、仮想リンク情報管理手段は、仮想リンク情報として、仮想リンクを識別するための仮想リンク識別情報と、仮想リンクとして管理する自律分散制御非対応パスの始点に関する始点情報と、仮想リンクとして管理する自律分散制御非対応パスの終点に関する終点情報と、をそれぞれ対応付けて保持することを特徴とする。
【００１０】
本発明の第４のネットワークシステムは、本発明の第３のネットワークシステムにおいて、始点情報は、始点のリンクを示す始点リンク情報、及び、始点で利用されるリソースを示す始点ラベル情報であり、終点情報は、終点のリンクを示す終点リンク情報、及び、終点で利用されるリソースを示す終点ラベル情報であることを特徴とする。
【００１１】
本発明の第５のネットワークシステムは、本発明の第２から第４のいずれか１つのネットワークシステムにおいて、仮想リンク登録手段は、仮想リンク登録要求手段からの要求を受けた場合、受信した仮想リンク情報を記憶するとともに、仮想リンクに関する情報として、対向の自律分散制御対応装置、合計帯域幅、残帯域幅を記憶することにより、仮想リンクの登録を行うことを特徴とする。
【００１２】
本発明の第６のネットワークシステムは、本発明の第２から第５のいずれか１つのネットワークシステムにおいて、仮想リンク登録手段で登録された仮想リンクは、物理的に接続されたリンクと同様に、自律分散制御ネットワーク内で広告され、自律分散制御対応パス設定手段の経路計算に用いられることを特徴とする。
【００１３】
本発明の第７のネットワークシステムは、本発明の第２から第６のいずれか１つのネットワークシステムにおいて、自律分散制御対応パス設定手段は、自律分散制御対応パス設定要求手段から要求を受けた場合、要求に含まれている、自律分散制御対応パスの終点となる自律分散制御対応装置を示す情報、及び、自律分散制御対応パスの帯域幅を示す情報に基づいて、経路計算及びシグナリングを行うことにより、自律分散制御対応パスを設定することを特徴とする。
【００１４】
本発明の第８のネットワークシステムは、自律分散制御対応ネットワークと、自律分散制御非対応ネットワークとが混在しており、自律分散制御対応ネットワーク及び自律分散制御非対応ネットワークに所定のパスを設定可能なネットワーク管理装置を有するネットワークシステムであって、ネットワーク管理装置は、自律分散制御対応ネットワーク内に設定した自律分散制御対応パスを示す情報に基づいて、自律分散制御対応パスを自律分散制御非対応パスの一部として設定する機能を有することを特徴とする。
【００１５】
本発明の第９のネットワークシステムは、本発明の第８のネットワークシステムにおいて、ネットワーク管理装置は、自律分散制御対応ネットワーク上の自律分散制御対応装置に対して、自律分散制御対応パスを設定するように要求する自律分散制御対応パス設定要求手段と、自律分散制御対応ネットワークに設定された自律分散制御対応パスを仮想リンクとして管理し、仮想リンクを示す仮想リンク情報を保持する仮想リンク情報管理手段と、自律分散制御非対応ネットワーク上の自律分散制御非対応装置に対して、仮想リンク情報を送信するとともに、自律分散制御対応パスを仮想リンクとして登録するように要求する仮想リンク登録要求手段と、仮想リンク登録要求手段から要求を受けた自律分散制御非対応装置が属する自律分散制御非対応ネットワーク上の所定の自律分散制御非対応装置に対して、仮想リンクを含む自律分散制御非対応パスを設定するように要求する自律分散制御非対応パス設定要求手段と、を有し、自律分散制御非対応装置は、仮想リンク登録要求手段から要求を受けた場合に、仮想リンク情報に基づいて、自律分散制御対応パスを仮想リンクとして登録する仮想リンク登録手段と、自律分散制御非対応パス設定要求手段から要求を受けた場合に、仮想リンクを含む自律分散制御非対応パスを設定する自律分散制御非対応パス設定手段と、を有することを特徴とする。
【００１６】
本発明のネットワーク管理装置は、本発明の第１から第９のいずれか１つのネットワークシステムにおいて用いられることを特徴とする。
【００１７】
本発明の通信装置は、本発明の第１から第９のいずれか１つのネットワークシステムにおいて、自律分散制御対応装置又は自律分散制御非対応装置として用いられることを特徴とする。
【００１８】
本発明の第１のパス設定方法は、自律分散制御対応ネットワークと、自律分散制御非対応ネットワークとが混在してネットワークシステムで用いられ、自律分散制御対応ネットワーク及び自律分散制御非対応ネットワークに所定のパスを設定するためのパス設定方法であって、自律分散制御非対応ネットワーク内に設定した自律分散制御非対応パスを示す情報に基づいて、自律分散制御非対応パスを自律分散制御対応パスの一部として設定することを特徴とする。
【００１９】
本発明の第２のパス設定方法は、本発明の第１のパス設定方法において、自律分散制御非対応ネットワーク上の自律分散制御非対応装置に対して、自律分散制御非対応パスを設定するように要求する自律分散制御非対応パス設定要求ステップと、自律分散制御非対応ネットワークに設定された自律分散制御非対応パスを仮想リンクとして管理し、仮想リンクを示す仮想リンク情報を保持する仮想リンク情報管理ステップと、自律分散制御対応ネットワーク上の自律分散制御対応装置に対して、仮想リンク情報を送信するとともに、自律分散制御非対応パスを仮想リンクとして登録するように要求する仮想リンク登録要求ステップと、仮想リンク登録要求ステップによる要求を受けた自律分散制御対応装置に対して、仮想リンク情報に基づいて、自律分散制御非対応パスを仮想リンクとして登録する仮想リンク登録ステップと、仮想リンク登録要求ステップによる要求を受けた自律分散制御対応装置が属する自律分散制御対応ネットワーク上の自律分散制御対応装置のうち、仮想リンクを含む自律分散制御対応パスの始点となる自律分散制御対応装置に対して、自律分散制御対応パスを設定するように要求する自律分散制御対応パス設定要求ステップと、自律分散制御対応パス設定要求ステップによる要求を受けた自律分散制御対応装置に対して、仮想リンクを含む自律分散制御対応パスを設定する自律分散制御対応パス設定ステップと、を有することを特徴とする。
【００２０】
本発明の第３のパス設定方法は、本発明の第２のパス設定方法において、仮想リンク情報管理ステップでは、仮想リンク情報として、仮想リンクを識別するための仮想リンク識別情報と、仮想リンクとして管理する自律分散制御非対応パスの始点に関する始点情報と、仮想リンクとして管理する自律分散制御非対応パスの終点に関する終点情報と、をそれぞれ対応付けて保持されることを特徴とする。
【００２１】
本発明の第４のパス設定方法は、本発明の第３のパス設定方法において、始点情報は、始点のリンクを示す始点リンク情報、及び、始点で利用されるリソースを示す始点ラベル情報であり、終点情報は、終点のリンクを示す終点リンク情報、及び、終点で利用されるリソースを示す終点ラベル情報であることを特徴とする。
【００２２】
本発明の第５のパス設定方法は、本発明の第２から第４のいずれか１つのパス設定方法において、仮想リンク登録ステップでは、仮想リンク登録要求ステップによる要求を受けた自律分散制御対応装置に対して、受信した仮想リンク情報を記憶させるとともに、仮想リンクに関する情報として、対向の自律分散制御対応装置、合計帯域幅、残帯域幅を記憶させることにより、仮想リンクの登録を行うことを特徴とする。
【００２３】
本発明の第６のパス設定方法は、本発明の第２から第５のいずれか１つのパス設定方法において、仮想リンク登録ステップで登録された仮想リンクは、物理的に接続されたリンクと同様に、自律分散制御ネットワーク内で広告され、自律分散制御対応パス設定ステップによる経路計算に用いられることを特徴とする。
【００２４】
本発明の第７のパス設定方法は、本発明の第２から第６のいずれか１つのパス設定方法において、自律分散制御対応パス設定ステップでは、自律分散制御対応パス設定要求ステップによる要求を受けた自律分散制御対応装置に対して、要求に含まれている、自律分散制御対応パスの終点となる自律分散制御対応装置を示す情報、及び、自律分散制御対応パスの帯域幅を示す情報に基づいて、経路計算及びシグナリングを行わせることにより、自律分散制御対応パスを設定することを特徴とする。
【００２５】
本発明の第８のパス設定方法は、自律分散制御対応ネットワークと、自律分散制御非対応ネットワークとが混在しており、自律分散制御対応ネットワーク及び自律分散制御非対応ネットワークに所定のパスを設定するためのパス設定方法であって、自律分散制御対応ネットワーク内に設定した自律分散制御対応パスを示す情報に基づいて、自律分散制御対応パスを自律分散制御非対応パスの一部として設定することを特徴とする。
【００２６】
本発明の第９のパス設定方法は、本発明の第８のパス設定方法において、自律分散制御対応ネットワーク上の自律分散制御対応装置に対して、自律分散制御対応パスを設定するように要求する自律分散制御対応パス設定要求ステップと、自律分散制御対応ネットワークに設定された自律分散制御対応パスを仮想リンクとして管理し、仮想リンクを示す仮想リンク情報を保持する仮想リンク情報管理ステップと、自律分散制御非対応ネットワーク上の自律分散制御非対応装置に対して、仮想リンク情報を送信するとともに、自律分散制御対応パスを仮想リンクとして登録するように要求する仮想リンク登録要求ステップと、仮想リンク登録要求ステップによる要求を受けた自律分散制御非対応装置に対して、仮想リンク情報に基づいて、自律分散制御対応パスを仮想リンクとして登録する仮想リンク登録ステップと、仮想リンク登録要求ステップによる要求を受けた自律分散制御非対応装置が属する自律分散制御非対応ネットワーク上の所定の自律分散制御非対応装置に対して、仮想リンクを含む自律分散制御非対応パスを設定するように要求する自律分散制御非対応パス設定要求ステップと、自律分散制御非対応パス設定要求ステップによる要求を受けた自律分散制御非対応装置に対して、仮想リンクを含む自律分散制御非対応パスを設定する自律分散制御非対応パス設定ステップと、を有することを特徴とする。
【００２７】
本発明の第１のプログラムは、自律分散制御対応ネットワークと、自律分散制御非対応ネットワークとが混在しているネットワークシステムで用いられ、自律分散制御対応ネットワーク及び自律分散制御非対応ネットワークに所定のパスを設定するためのプログラムであって、自律分散制御非対応ネットワーク内に設定した自律分散制御非対応パスを示す情報に基づいて、自律分散制御非対応パスを自律分散制御対応パスの一部として設定する処理をコンピュータに実行させることを特徴とする。
【００２８】
本発明の第２のプログラムは、本発明の第１のプログラムにおいて、自律分散制御非対応ネットワーク上の自律分散制御非対応装置に対して、自律分散制御非対応パスを設定するように要求する自律分散制御非対応パス設定要求処理と、自律分散制御非対応ネットワークに設定された自律分散制御非対応パスを仮想リンクとして管理し、仮想リンクを示す仮想リンク情報を保持する仮想リンク情報管理処理と、自律分散制御対応ネットワーク上の自律分散制御対応装置に対して、仮想リンク情報を送信するとともに、自律分散制御非対応パスを仮想リンクとして登録するように要求する仮想リンク登録要求処理と、仮想リンク登録要求処理による要求を受けた自律分散制御対応装置が属する自律分散制御対応ネットワーク上の自律分散制御対応装置のうち、仮想リンクを含む自律分散制御対応パスの始点となる自律分散制御対応装置に対して、自律分散制御対応パスを設定するように要求する自律分散制御対応パス設定要求処理と、をコンピュータに実行させることを特徴とする。
【００２９】
本発明の第３のプログラムは、本発明の第２のプログラムにおいて、仮想リンク登録要求処理による要求を受けた自律分散制御対応装置に対して、仮想リンク情報に基づいて、自律分散制御非対応パスを仮想リンクとして登録する仮想リンク登録処理と、自律分散制御対応パス設定要求処理による要求を受けた自律分散制御対応装置に対して、仮想リンクを含む自律分散制御対応パスを設定する自律分散制御対応パス設定処理と、をコンピュータに実行させることを特徴とする。
【００３０】
本発明の第４のプログラムは、本発明の第２又は第３のプログラムにおいて、仮想リンク情報管理処理は、仮想リンク情報として、仮想リンクを識別するための仮想リンク識別情報と、仮想リンクとして管理する自律分散制御非対応パスの始点に関する始点情報と、仮想リンクとして管理する自律分散制御非対応パスの終点に関する終点情報と、をそれぞれ対応付けて保持する処理であることを特徴とする。
【００３１】
本発明の第５のプログラムは、本発明の第４のプログラムにおいて、始点情報は、始点のリンクを示す始点リンク情報、及び、始点で利用されるリソースを示す始点ラベル情報であり、終点情報は、終点のリンクを示す終点リンク情報、及び、終点で利用されるリソースを示す終点ラベル情報であることを特徴とする。
【００３２】
本発明の第６のプログラムは、本発明の第３から第５のいずれか１つのプログラムにおいて、仮想リンク登録処理は、仮想リンク登録要求処理による要求を受けた自律分散制御対応装置に対して、受信した仮想リンク情報を記憶させるとともに、仮想リンクに関する情報として、対向の自律分散制御対応装置、合計帯域幅、残帯域幅を記憶させることにより、仮想リンクの登録を行う処理であることを特徴とする。
【００３３】
本発明の第７のプログラムは、本発明の第３から第６のいずれか１つのプログラムにおいて、仮想リンク登録処理で登録された仮想リンクは、物理的に接続されたリンクと同様に、自律分散制御ネットワーク内で広告され、自律分散制御対応パス設定処理による経路計算に用いられることを特徴とする。
【００３４】
本発明の第８のプログラムは、本発明の第３から第７のいずれか１つのプログラムにおいて、自律分散制御対応パス設定処理は、自律分散制御対応パス設定要求処理による要求を受けた自律分散制御対応装置に対して、要求に含まれている、自律分散制御対応パスの終点となる自律分散制御対応装置を示す情報、及び、自律分散制御対応パスの帯域幅を示す情報に基づいて、経路計算及びシグナリングを行わせることにより、自律分散制御対応パスを設定する処理であることを特徴とする。
【００３５】
本発明の第９のプログラムは、自律分散制御対応ネットワークと、自律分散制御非対応ネットワークとが混在しており、自律分散制御対応ネットワーク及び自律分散制御非対応ネットワークに所定のパスを設定するためのプログラムであって、自律分散制御対応ネットワーク内に設定した自律分散制御対応パスを示す情報に基づいて、自律分散制御対応パスを自律分散制御非対応パスの一部として設定する処理をコンピュータに実行させることを特徴とする。
【００３６】
本発明の第１０のプログラムは、本発明の第９のプログラムにおいて、自律分散制御対応ネットワーク上の自律分散制御対応装置に対して、自律分散制御対応パスを設定するように要求する自律分散制御対応パス設定要求処理と、自律分散制御対応ネットワークに設定された自律分散制御対応パスを仮想リンクとして管理し、仮想リンクを示す仮想リンク情報を保持する仮想リンク情報管理処理と、自律分散制御非対応ネットワーク上の自律分散制御非対応装置に対して、仮想リンク情報を送信するとともに、自律分散制御対応パスを仮想リンクとして登録するように要求する仮想リンク登録要求処理と、仮想リンク登録要求処理による要求を受けた自律分散制御非対応装置が属する自律分散制御非対応ネットワーク上の所定の自律分散制御非対応装置に対して、仮想リンクを含む自律分散制御非対応パスを設定するように要求する自律分散制御非対応パス設定要求処理と、をコンピュータに実行させることを特徴とする。
【００３７】
本発明の第１１のプログラムは、本発明の第１０のプログラムにおいて、仮想リンク登録要求処理による要求を受けた自律分散制御非対応装置に対して、仮想リンク情報に基づいて、自律分散制御対応パスを仮想リンクとして登録する仮想リンク登録処理と、自律分散制御非対応パス設定要求処理による要求を受けた自律分散制御非対応装置に対して、仮想リンクを含む自律分散制御非対応パスを設定する自律分散制御非対応パス設定処理と、をコンピュータに実行させることを特徴とする。
【発明の効果】
【００３８】
本発明によれば、自律分散制御対応装置及び自律分散制御非対応装置が混在したネットワークにおいて、自律分散制御非対応装置を中継した自律分散制御によるパス設定が可能となる。よって、自律分散制御対応装置及び自律分散制御非対応装置が混在したネットワークであっても、自律分散制御によるパス設定のメリットとして、例えば、オペレーションコストの削減や、柔軟なパス経路選択及び障害回復手段の提供などについてのメリットを享受することができる。
【発明を実施するための最良の形態】
【００３９】
以下、本発明を実施するための最良の形態について添付図面を参照して詳細に説明する。
【００４０】
本発明の概要について説明する。
本発明は、ＧＭＰＬＳ、ＡＳＯＮ等の自律分散制御対応装置と、自律分散制御非対応装置とが混在したネットワークにおいて、自律分散制御によるパス設定を可能とすることを特徴としている。図１において、ネットワークマネージメントシステム（ＮＭＳ）は、設定したパス（ＮＥ２０１−ＮＥ２０２）を仮想リンク（ＮＥ１０２−ＮＥ２０１−ＮＥ２０２−ＮＥ１０３）として扱う機構を持つ。また、自律分散制御対応装置がこの仮想リンクを一般のリンクとして扱う機構を持つ。このようにして、本発明では、自律分散制御対応装置と、自律分散制御非対応装置とが混在したネットワークにおいて、自律分散制御非対応装置を中継した自律分散制御によるパス（ＮＥ１０１−ＮＥ１０２−ＮＥ２０１−ＮＥ２０２−ＮＥ１０３−ＮＥ１０４−ＮＥ１０５）の設定が可能になる。
【実施例１】
【００４１】
〔実施例の構成〕
図１に、本発明のネットワークシステムの一実施例の構成を示す。本発明の想定するネットワークでは、パケットやＴＤＭ（Time Division Multiplexing：時分割多重）、ＷＤＭ（波長多重：Wavelength Division Multiplexing）などの技術によってエンド・トゥ・エンド（End To End）のパスを提供する。また、本発明の想定するネットワークの例としては、ＳＯＮＥＴ／ＳＤＨやＷＤＭ等の装置から構成された光伝送ネットワークや、パスを設定して通信を開始するコネクション型のネットワークが挙げられる。なお、本明細書における「パス設定」とは、設定したいパスの経路上のタイムスロットや波長を予約することを意味する。また、本明細書では、タイムスロットや波長のことを「ラベル」という。
【００４２】
図１において、各通信装置（ノード）ＮＥ２０１〜２０３、ＮＥ１０１〜１０７は、ラベル（タイムスロット、波長等）の情報に基づいて、クロスコネクト（Cross Connect：以下、ＸＣという）又はスイッチングを実施する。各通信装置間は、１本又はそれ以上のリンク（光ファイバ）ＬＫ３０１〜３１０で接続されている。また、各通信装置とＮＭＳ１間はマネージメントリンクＭＬ１〜８で接続されている。
【００４３】
図１において、ＮＥ１０１〜１０７はＧＭＰＬＳ対応装置（以下、通信装置又は自律分散制御対応装置という）であり、ＮＥ２０１〜２０３はＧＭＰＬＳ非対応装置（以下、通信装置又は自律分散制御非対応装置という）である。また、ＮＥ１０１〜ＮＥ１０２、ＮＥ１０３〜ＮＥ１０５、ＮＥ１０６〜ＮＥ１０７はそれぞれ、自律分散制御対応ネットワークに存在し、一方、ＮＥ２０１〜２０３は、自律分散制御非対応ネットワークに存在する。
【００４４】
ＮＭＳ１は、各通信装置に対して、パスの設定・切断要求を行う機能や、自律分散制御対応装置に対して、仮想リンク登録を行う機能を持ち、オペレータ（作業者）とネットワークとのインターフェースとなるシステム（ネットワーク管理装置）である。ＮＭＳ１と各通信装置はマネージメントリンクＭＬ１〜８で接続され、これらマネージメントリンクＭＬ１〜８を介して各通信装置の設定を行う。
【００４５】
図１に示す自律分散制御対応ネットワークは、ＧＭＰＬＳ、ＡＳＯＮ等の自律分散制御対応装置であるＮＥ１０１〜１０７から構成されるネットワークである。この自律分散制御対応ネットワーク内でパスを設定する場合、各通信装置はオペレータの指示に従い自律分散的に経路制御及びシグナリングを実行し、各通信装置のラベル予約・スイッチ設定を行い、指定された始点・終点通信装置間のパスを設定する。
【００４６】
図１に示す自律分散制御非対応ネットワークは、ＧＭＰＬＳ、ＡＳＯＮ等の自律分散制御非対応装置であるＮＥ２０１〜ＮＥ２０３から構成されたネットワークである。この自律分散制御非対応ネットワーク内でパスを設定する場合、オペレータは、パスを構成するリソース（ポートやタイムスロット等）を全て指定し、ＮＭＳ１を介して経路上の全ノードに、スイッチ設定を実施する。全ての通信装置のＸＣ登録が完了した時点でパス設定が完了する。
【００４７】
図２は、各通信装置（ＮＥ）のリンク（ＬＫ）とラベル（ＬＢ）を詳細に表した図である。図２に示すように、ラベルはパスが利用するリソースの識別子である。
【００４８】
図３は、自律分散制御対応装置（ＮＥ１０１〜１０７）の機能構成を示すブロック図である。自律分散制御対応装置（ＮＥ１０１〜１０７）は、「自律分散制御既存機能」を有する。この「自律分散制御既存機能」は、図３に示す「自律分散制御メッセージ処理部」及び「リンク情報管理表」を用いて、シグナリング、ルーティング、リンク管理等を行う。この「自律分散制御既存機能」に関しては、当業者にとってよく知られているため、その詳細な構成及びその説明は省略する。また、自律分散制御対応装置は、この「自律分散制御既存機能」の他に、「仮想リンク処理部」、「仮想リンク情報管理表」、ＮＭＳ１からのコマンド（要求）を受け付ける「コマンド処理部」を有する。
【００４９】
図４は、ＮＭＳ１の機能構成を示すブロック図である。ＮＭ１は、「ＮＭＳ既存機能」に加えて、「仮想リンク情報（ＮＭＳ）管理表」及び「仮想リンク（ＮＭＳ）処理部」を有する。
【００５０】
〔実施例の動作〕
次に、図１及び図１６を参照して、本実施例の動作について詳細に説明する。なお、図１内の〈１〉〜〈６〉は手順番号を示す。本実施例は、自律分散制御非対応ネットワーク上に仮想リンク（ＮＥ１０２−１０３）を設定し、設定した仮想リンクを利用して、ＮＥ１０１とＮＥ１０５の間で自律分散制御パスを設定する実施例である。
【００５１】
まず、「自律分散制御非対応ネットワークに対するパス設定」（手順〈１〉、〈２〉）について説明する。
図１において、ＮＭＳ１は、自律分散制御非対応ネットワークの各通信装置ＮＥ２０１及びＮＥ２０２に対してＸＣ登録（手順〈１〉、〈２〉）を行い、パス（ＮＥ２０１−ＮＥ２０２）設定を行う（図１６のステップＳ１）。このＮＥ２０１とＮＥ２０２とに実施したＸＣ登録の例を図５に示す。また、設定したパス（ＮＥ２０１−ＮＥ２０２）を図６に示す。
【００５２】
次に、「仮想リンクの登録」（手順〈３〉〜〈５〉）について説明する。
本実施例のＮＭＳ１は、自律分散制御非対応ネットワーク内で仮想リンクを作成するために、自律分散制御非対応ネットワークに設定したパス（ＮＥ２０１−ＮＥ２０２）を仮想リンクとして管理する機構を持つことを特徴とする。自律分散制御非対応ネットワークに設定したパス（ＮＥ２０１−ＮＥ２０２）を仮想リンクとして管理するために、ＮＭＳ１は、図４に示した「仮想リンク（ＮＭＳ）管理表」に、仮想リンクＩＤ、仮想リンクとして管理するパスの始点・終点のリンクＩＤ（実使用リンクＩＤ）とラベル（実使用ラベル）の情報を、図７に示すように仮想リンク情報として保持する（図１の手順〈３〉。図１６のステップＳ２）。ＮＭＳ１は、図７に示す「仮想リンク（ＮＭＳ）管理表」において、パス（ＮＥ２０１−ＮＥ２０２）を、ＮＥ１０２−１０３間の仮想リンクＶＬ４０１として管理しており、この仮想リンクＶＬ４０１に対応して、始点としてリンクＬＫ３０２及びラベルＬＢ１、ＬＢ２の情報を保持しており、また、終点としてリンクＬＫ３０６及びラベルＬＢ３、ＬＢ４の情報を保持している。
【００５３】
次に、手順〈４〉と〈５〉に示すように、ＮＭＳ１は、自律分散制御対応装置ＮＥ１０２とＮＥ１０３に対して、上記仮想リンク情報（図７）を送信し、仮想リンクＶＬ４０１の登録要求を行う（図１６のステップＳ３）。なお、ＮＭＳ１が自律分散制御非対応のパスやＸＣを管理する方法に関しては、本発明とは直接関係しないので、その詳細な構成の説明は省略する。
【００５４】
自律分散制御対応装置ＮＥ１０２とＮＥ１０３は、ＮＭＳ１から仮想リンク登録要求（及び仮想リンク情報）を受信すると、仮想リンクの登録を行う（図１６のステップＳ４）。この仮想リンクの登録は次のように行われる。図８に示すように、自律分散制御対応装置ＮＥ１０２及びＮＥ１０３は、図３に示す「仮想リンク処理部」において、ＮＭＳ１から受信した仮想リンク情報に基づき、図３に示す「仮想リンク情報管理表」に、ＶＬ４０１に関するリンクＩＤ及び使用ラベルを図８に示すように記録する。また、ＮＥ１０２とＮＥ１０３は、図３に示す「リンク情報管理表」に、ＶＬ４０１に関する情報（対向ＮＥ、合計帯域幅、残帯域幅）を図８に示すように記録する。この際、ＮＥ１０２において、ＶＬ４０１はＬＫ３０２の帯域を使用しているため、「仮想リンク処理部」は、ＬＫ３０２の残帯域幅を４から２に２減少させる。ＮＥ１０２の場合、対向ＮＥの項目には、仮想リンクの終点であるＮＥ１０３を記録する。一方、ＮＥ１０３においても、ＮＥ１０２と同様にＶＬ４０１の登録処理を行う。仮想リンクの両端点ノードにおいて、「リンク情報管理表」に記録された仮想リンクＶＬ４０１は、通常のリンク（物理的に接続されたリンク）と同様に、自律分散制御ネットワーク内で広告され、経路計算に用いられる。仮想リンクＶＬ４０１が登録された後、自律分散制御対応装置が認識するネットワークは、図９に示す論理構成となり、この構成に基づき経路計算及びパス設定が実施される。
【００５５】
最後に、「自律分散制御パス設定」（手順〈６〉）について説明する。
仮想リンクの登録後、ＮＭＳ１は、オペレータが設定したいパス（ＮＥ１０１〜ＮＥ１０５間）の始点となる自律分散制御対応装置ＮＥ１０１に対して、自律分散制御パス設定の要求を送信する（図１６のステップＳ５）。この自律分散制御パス設定要求には、パスの終点ノードや帯域幅等の情報が含まれる。自律分散制御パス設定要求を受信したＮＥ１０１は、通常の自律分散制御の仕組み（図１７参照）により経路計算及びシグナリングを実施し、ＮＥ１０１−ＮＥ１０２−ＮＥ２０１−ＮＥ２０２−ＮＥ１０３−ＮＥ１０４−ＮＥ１０５の自律分散制御パスを設定する（図１６のステップＳ６）。
【００５６】
以上説明したように、本実施例によれば、自律分散制御対応装置と、自律分散制御非対応装置とが混在したネットワークにおいて、自律分散制御によるパス設定を行うことができる。よって、自律分散制御対応装置及び自律分散制御非対応装置が混在したネットワークであっても、自律分散制御によるパス設定のメリットとして、例えば、オペレーションコストの削減や、柔軟なパス経路選択及び障害回復手段の提供などについてのメリットを享受することができる。その理由は、ＮＭＳが自律分散制御非対応装置に設定したパスを仮想リンクとして扱う機構を持つためであり、また、自律分散制御対応装置がこの仮想リンクを一般のリンクとして扱う機構を持つためである。
【実施例２】
【００５７】
次に、上述した実施例１における状態に加えて、図１０に示すように仮想リンクＮＥ１０２−ＮＥ２０１−ＮＥ２０３−ＮＥ１０６を登録する実施例を説明する。
【００５８】
まず、「自律分散制御非対応ネットワークに対するパス設定」について説明する。
上述した実施例１の動作と同様の方法により、ＮＭＳ１は、自律分散制御非対応ネットワークの各通信装置ＮＥ２０１及びＮＥ２０３に対して、図１１に示すようにＸＣ登録を行い、また、図１２に示すパス（ＮＥ２０１−ＮＥ２０３）の設定を行う。
【００５９】
次に、「仮想リンクの登録」について説明する。
図１３を参照すると、ＮＭＳ１は、自律分散制御非対応ネットワークに設定したパス（ＮＥ２０１−ＮＥ２０３）を、ＮＥ１０２-１０６間の仮想リンクＶＬ４０２として管理する。次に、ＮＭＳ１は、自律分散制御対応装置ＮＥ１０２とＮＥ１０６に対して、仮想リンクＶＬ４０２の登録要求を行う。
【００６０】
ＮＭＳ１から仮想リンク登録要求を受信した自律分散制御対応装置ＮＥ１０２とＮＥ１０６は、図３に示す「仮想リンク処理部」において、ＮＭＳ１から受信した情報に基づき、図３に示す「仮想リンク情報管理表」に、ＶＬ４０２に関するリンクＩＤ及び使用ラベルを図１４に示すように記録する。また、ＮＥ１０２とＮＥ１０６は、図３に示す「リンク情報管理表」に、ＶＬ４０２に関する情報（対向ＮＥ、合計帯域幅、残帯域幅）を図１４に示すように記録する。図１４を参照すると、ＮＥ１０２において、ＶＬ４０２はＬＫ３０２の帯域を使用しているため、「仮想リンク処理部」は、ＬＫ３０２の残帯域幅を２から１に１減少させ、情報管理表を更新する。同様にＮＥ１０６においても、ＶＬ４０２の登録処理を行う。
【００６１】
仮想リンクの両端点ノードにおいて、仮想リンクＶＬ４０２が登録された後、自律分散制御ネットワークは、図１５に示す論理構成となり、この構成に基づき経路計算及びパス設定が実施される。
【実施例３】
【００６２】
上記実施例１及び２では、事前にＮＭＳ１から自律分散制御非対応装置ＮＥ２０１〜ＮＥ２０３に対して、ＸＣ登録を行い、仮想リンクを登録することにより、自律分散制御でのパス設定を実現していたが、本実施例では、それに加えて、事前にＮＭＳ１から各自律分散制御対応装置ＮＥ１０１〜１０７に対して、ＸＣ登録を行い、仮想リンクを登録することもできるようにする（なお、本実施例の構成及び動作は、基本的に上記実施例１及び２と同様であるのでここでの説明は省略する）。これにより、自律分散制御ネットワーク内に広告するリンク情報が減少し、自律分散制御ネットワークのスケーラビリティが向上する効果がある。
【００６３】
以上、本発明の各実施例について説明したが、上記各実施例の記載に限定されるものではなく、その要旨を逸脱しない範囲において種々の変形が可能である。
【００６４】
例えば、上述した実施例における制御動作は、ハードウェア、または、ソフトウェア、あるいは、両者の複合構成によって実行することも可能である。
【００６５】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【００６６】
例えば、プログラムは、記録媒体としてのハードディスクやＲＯＭ（Read Only Memory）に予め記録しておくことが可能である。
【００６７】
あるいは、プログラムは、フロッピー（登録商標）ディスク、ＣＤ−ＲＯＭ（Compact Disc Read Only Memory），ＭＯ（Magneto optical）ディスク，ＤＶＤ（Digital Versatile Disc）、磁気ディスク、半導体メモリなどのリムーバブル記録媒体に、一時的、あるいは、永続的に格納（記録）しておくことが可能である。
【００６８】
このようなリムーバブル記録媒体は、いわゆるパッケージソフトウエアとして提供することが可能である。
【００６９】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００７０】
また、上記実施例で説明した処理動作に従って時系列的に実行されるのみならず、処理を実行する装置の処理能力、あるいは、必要に応じて並列的にあるいは個別に実行するように構築することも可能である。
【００７１】
また、上記実施例で説明したシステムは、複数の装置の論理的集合構成にしたり、各装置の機能を混在させたりするように構築することも可能である。
【図面の簡単な説明】
【００７２】
【図１】本発明の実施例１に係るネットワークシステムの構成を示す図である。
【図２】リンクとラベルの詳細な構成例を示す図である。
【図３】自律分散制御対応装置の機能構成を示すブロック図である。
【図４】ＮＭＳの機能構成を示すブロック図である。
【図５】ＸＣ登録の例を示す図である。
【図６】仮想リンク登録の例を示す図である。
【図７】仮想リンク（ＮＭＳ）管理表を示す図である。
【図８】ＮＥ１０２が持つ情報を示す図である。
【図９】仮想リンク（ＶＬ４０１）登録後に自律分散制御対応装置が認識するネットワーク構成を示す図である。
【図１０】本発明の実施例２に係るネットワークマネージメントシステムを用いたネットワークの構成を示す図である。
【図１１】ＸＣ登録の例を示す図である。
【図１２】仮想リンク登録の例を示す図である。
【図１３】ＮＭＳが持つ情報を示す図である。
【図１４】ＮＥ１０２が持つ情報を示す図である。
【図１５】仮想リンク（ＶＬ４０２）登録後に自律分散制御対応装置が認識するネットワーク構成を示す図である。
【図１６】本発明の実施例１に係るネットワークシステムにおける動作を示すフローチャートである。
【図１７】自律分散制御に対応した通信装置から構成されるネットワークの一例を示す図である。
【図１８】自律分散制御に非対応の通信装置から構成されるネットワークの一例を示す図である。
【符号の説明】
【００７３】
ＮＭＳ１    ネットワーク管理装置
ＮＥ１０１〜ＮＥ１０７    自律分散制御対応装置（通信装置、ノード）
ＮＥ２０１〜ＮＥ２０３    自律分散制御非対応装置（通信装置、ノード）
ＬＫ３０１〜ＬＫ３１０    リンク（光ファイバ）
ＭＬ１〜ＭＬ８    マネージメントリンク
ＰＴ５０１    自律分散制御パス
ＶＬ４０１、ＶＬ４０２    仮想リンク
【図１】
0005076768.tif 000002
【図２】
0005076768.tif 000003
【図３】
0005076768.tif 000004
【図４】
0005076768.tif 000005
【図５】
0005076768.tif 000006
【図６】
0005076768.tif 000007
【図７】
0005076768.tif 000008
【図８】
0005076768.tif 000009
【図９】
0005076768.tif 000010
【図１０】
0005076768.tif 000011
【図１１】
0005076768.tif 000012
【図１２】
0005076768.tif 000013
【図１３】
0005076768.tif 000014
【図１４】
0005076768.tif 000015
【図１５】
0005076768.tif 000016
【図１６】
0005076768.tif 000017
【図１７】
0005076768.tif 000018
【図１８】
0005076768.tif 000019